(57)【要約】  移動局による最後の読み取りに対してどのシステム情報（ＳＩ）メッセージが（もしあれば）変化したかを移動局（例えば、ＣＩｏＴデバイス）へ指し示すための無線アクセスネットワークノード（例えば、基地局サブシステム）及び方法がここで説明される。加えて、移動局による最後の読み取りに対してどのシステム情報（ＳＩ）メッセージが（もしあれば）変化したかを指し示す標識を受信するための移動局（例えば、ＣＩｏＴデバイス）及び方法がここで説明される。【選択図】図２
2019506774.tif 000002
【特許請求の範囲】
【請求項１】
１つ以上の移動局（１０４２，１０４３…１０４ｎ）とインタラクションするように構成される無線アクセスネットワーク（ＲＡＮ）ノード（１０２２）であって、前記ＲＡＮノードは、
プロセッサ（１３２２）と、
プロセッサ実行可能な命令を記憶するメモリ（１３４２）と、
を備え、前記プロセッサは、前記プロセッサ実行可能な命令を実行するように前記メモリとインタフェースし、
それにより、前記ＲＡＮノードは、
拡張カバレッジブロードキャスト制御チャネル（ＥＣ−ＢＣＣＨ）（２１０）上で拡張カバレッジ−システム情報（ＥＣ−ＳＩ）メッセージ（２０２，２０４，２０６又は２０８）を前記１つ以上の移動局へ送信する（４０２）、
ように動作可能であり、
送信される前記ＥＣ−ＳＩメッセージは、ＥＣ−ＳＩタイプ１メッセージ（２０２）、ＥＣ−ＳＩタイプ２メッセージ（２０４）、ＥＣ−ＳＩタイプ３メッセージ（２０４）及びＥＣ−ＳＩタイプ４メッセージ（２０８）を含む現在送信中のＥＣ−ＳＩメッセージのセット（２００）からのものであり、送信される前記ＥＣ−ＳＩメッセージ（２０２，２０４，２０６又は２０８）は、前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前回送信されたＥＣ−ＳＩメッセージのセットから修正されているのかを指し示すビットマップ（２１２１，２１２２，２１２３，２１２４，２１２５）を含む、
ＲＡＮノード。
【請求項２】
前記ビットマップ（２１２１）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、２ビットの変更マークインジケータ（２１４１）を含む、請求項１のＲＡＮノード。
【請求項３】
前記ビットマップ（２１２２）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、１ビットの変更マークインジケータ（２１４２）を含む、請求項１のＲＡＮノード。
【請求項４】
前記ビットマップ（２１２３）は、オーバフロー制御ビット（２１５）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４３）とを含む、請求項１のＲＡＮノード。
【請求項５】
前記ビットマップ（２１２４）は、２ビットのオーバフロー制御フィールド（２１７）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４４）とを含む、請求項１のＲＡＮノード。
【請求項６】
前記ビットマップ（２１２５）は、オーバフロー制御ビット（２１９）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について２ビットの変更マークインジケータ（２１４５）とを含む、請求項１のＲＡＮノード。
【請求項７】
前記ビットマップ（２１２３，２１２４，２１２５）は、ある時間ピリオドの期間中に１回よりも多く前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちの少なくとも１つが修正された状況を前記１つ以上の移動局へ指し示し、よって前記１つ以上の移動局へ前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々を読み取らなければならないことを指し示す１つ以上のオーバフロー制御ビット（２１５，２１７，２１９）を含む、請求項１のＲＡＮノード。
【請求項８】
前記ＲＡＮノードは、
予め決定される時間ピリオドの期間中の前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちの１つ以上に対する各修正について前記ビットマップを変更する（４０４）、
ようにさらに動作可能であり、それにより、どの特定のＥＣ−ＳＩメッセージが変化したかを１つ以上の移動局が判定する能力が改善され、及び、それにより、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージを取得する移動局の効率性が改善される、
請求項１のＲＡＮノード。
【請求項９】
１つ以上の移動局（１０４２，１０４３…１０４ｎ）とインタラクションするように構成される無線アクセスネットワーク（ＲＡＮ）ノード（１０２２）における方法（４００）であって、
拡張カバレッジブロードキャスト制御チャネル（ＥＣ−ＢＣＣＨ）（２１０）上で拡張カバレッジ−システム情報（ＥＣ−ＳＩ）メッセージ（２０２，２０４，２０６又は２０８）を前記１つ以上の移動局へ送信すること（４０２）、
を含み、
送信される前記ＥＣ−ＳＩメッセージは、ＥＣ−ＳＩタイプ１メッセージ（２０２）、ＥＣ−ＳＩタイプ２メッセージ（２０４）、ＥＣ−ＳＩタイプ３メッセージ（２０６）及びＥＣ−ＳＩタイプ４メッセージ（２０８）を含む現在送信中のＥＣ−ＳＩメッセージのセット（２００）からのものであり、送信される前記ＥＣ−ＳＩメッセージ（２０２，２０４，２０６又は２０８）は、前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前回送信されたＥＣ−ＳＩメッセージのセットから修正されているのかを指し示すビットマップ（２１２１，２１２２，２１２３，２１２４，２１２５）を含む、
方法。
【請求項１０】
前記ビットマップ（２１２１）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、２ビットの変更マークインジケータ（２１４１）を含む、請求項９の方法。
【請求項１１】
前記ビットマップ（２１２２）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、１ビットの変更マークインジケータ（２１４２）を含む、請求項９の方法。
【請求項１２】
前記ビットマップ（２１２３）は、オーバフロー制御ビット（２１５）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４３）とを含む、請求項９の方法。
【請求項１３】
前記ビットマップ（２１２４）は、２ビットのオーバフロー制御フィールド（２１７）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４４）とを含む、請求項９の方法。
【請求項１４】
前記ビットマップ（２１２５）は、オーバフロー制御ビット（２１９）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について２ビットの変更マークインジケータ（２１４５）とを含む、請求項９の方法。
【請求項１５】
前記ビットマップ（２１２３，２１２４，２１２５）は、ある時間ピリオドの期間中に１回よりも多く前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちの少なくとも１つが修正された状況を前記１つ以上の移動局へ指し示し、よって前記１つ以上の移動局へ前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々を読み取らなければならないことを指し示す１つ以上のオーバフロー制御ビット（２１５，２１７，２１９）を含む、請求項９の方法。
【請求項１６】
予め決定される時間ピリオドの期間中の前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちの１つ以上に対する各修正について前記ビットマップを変更すること（４０４）、
をさらに含み、それにより、どの特定のＥＣ−ＳＩメッセージが変化したかを１つ以上の移動局が判定する能力が改善され、及び、それにより、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージを取得する移動局の効率性が改善される、
請求項９の方法。
【請求項１７】
プロセッサ（１０４２）と、
プロセッサ実行可能な命令を記憶するメモリ（１２０２）と、
を備える移動局（１０４２）であって、
前記プロセッサは、前記プロセッサ実行可能な命令を実行するように前記メモリとインタフェースし、
それにより、前記移動局は、
拡張カバレッジブロードキャスト制御チャネル（ＥＣ−ＢＣＣＨ）（２１０）上の拡張カバレッジ−システム情報（ＥＣ−ＳＩ）メッセージ（２０２，２０４，２０６又は２０８）を読み取る（６０２）、
ように動作可能であり、読み取られる前記ＥＣ−ＳＩメッセージは、ＥＣ−ＳＩタイプ１メッセージ（２０２）、ＥＣ−ＳＩタイプ２メッセージ（２０４）、ＥＣ−ＳＩタイプ３メッセージ（２０６）及びＥＣ−ＳＩタイプ４メッセージ（２０８）を含む現在送信中のＥＣ−ＳＩメッセージのセット（２００）からのものであり、読み取られる前記ＥＣ−ＳＩメッセージ（２０２，２０４，２０６又は２０８）は、前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前回送信されたＥＣ−ＳＩメッセージのセットから修正されているのかを指し示すビットマップ（２１２１，２１２２，２１２３，２１２４，２１２５）を含む、
移動局。
【請求項１８】
前記移動局は、
読み取られる前記ＥＣ−ＳＩメッセージの前記ビットマップ内で、もしあるならば１つ以上のオーバフロー制御ビットを読み取ることにより、オーバフロー条件が存在するかを判定する（６０３）、
ようにさらに動作可能である、請求項１７の移動局。
【請求項１９】
前記移動局は、オーバフロー条件が存在すると判定する場合に、
前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々を読み取る（６１０）、
ようにさらに動作可能である、請求項１８の移動局。
【請求項２０】
前記移動局は、オーバフロー条件が存在しないと判定する場合に、
前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前回送信されたＥＣ−ＳＩメッセージのセットから修正されているのかを、読み取られる前記ＥＣ−ＳＩメッセージ内の前記ビットマップを利用して判定する（６０４）、
ようにさらに動作可能である、請求項１８の移動局。
【請求項２１】
前記移動局は、
読み取られる前記ＥＣ−ＳＩメッセージが前記現在送信中のＥＣ−ＳＩメッセージのセットからの前記前回送信されたＥＣ−ＳＩメッセージのセットから修正されているただ１つであるとの判定に基づいて、前記現在送信中のＥＣ−ＳＩメッセージのセット内の残りのＥＣ−ＳＩメッセージの読み取りをスキップする（６０６）、
ようにさらに動作可能である、請求項２０の移動局。
【請求項２２】
前記移動局は、
読み取られる前記ＥＣ−ＳＩメッセージが前記前回送信されたＥＣ−ＳＩメッセージのセットから修正されておらず但し前記現在送信中のＥＣ−ＳＩメッセージのセットからの他のＥＣ−ＳＩメッセージが前記前回送信されたＥＣ−ＳＩメッセージのセットから修正されているとの判定に基づいて、修正された前記ＥＣ−ＳＩメッセージが受信されるはずのときまで電力を引き下げ（６０８）、そして電力を引き上げて修正された前記ＥＣ−ＳＩメッセージを読み取る、
ようにさらに動作可能である、請求項２０の移動局。
【請求項２３】
前記ビットマップ（２１２１）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、２ビットの変更マークインジケータ（２１４１）を含む、請求項１７の移動局。
【請求項２４】
前記ビットマップ（２１２２）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、１ビットの変更マークインジケータ（２１４２）を含む、請求項１７の移動局。
【請求項２５】
前記ビットマップ（２１２３）は、オーバフロー制御ビット（２１５）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４３）とを含む、請求項１７の移動局。
【請求項２６】
前記ビットマップ（２１２４）は、２ビットのオーバフロー制御フィールド（２１７）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４４）とを含む、請求項１７の移動局。
【請求項２７】
前記ビットマップ（２１２５）は、オーバフロー制御ビット（２１９）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について２ビットの変更マークインジケータ（２１４５）とを含む、請求項１７の移動局。
【請求項２８】
移動局（１０４２）における方法（６００）であって、
拡張カバレッジブロードキャスト制御チャネル（ＥＣ−ＢＣＣＨ）（２１０）上の拡張カバレッジ−システム情報（ＥＣ−ＳＩ）メッセージ（２０２，２０４，２０６又は２０８）を読み取ること（６０２）、
を含み、読み取られる前記ＥＣ−ＳＩメッセージは、ＥＣ−ＳＩタイプ１メッセージ（２０２）、ＥＣ−ＳＩタイプ２メッセージ（２０４）、ＥＣ−ＳＩタイプ３メッセージ（２０６）及びＥＣ−ＳＩタイプ４メッセージ（２０８）を含む現在送信中のＥＣ−ＳＩメッセージのセット（２００）からのものであり、読み取られる前記ＥＣ−ＳＩメッセージ（２０２，２０４，２０６又は２０８）は、前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前回送信されたＥＣ−ＳＩメッセージのセットから修正されているのかを指し示すビットマップ（２１２１，２１２２，２１２３，２１２４，２１２５）を含む、
方法。
【請求項２９】
読み取られる前記ＥＣ−ＳＩメッセージの前記ビットマップ内で、もしあるならば１つ以上のオーバフロー制御ビットを読み取ることにより、オーバフロー条件が存在するかを判定すること（６０３）、
をさらに含む、請求項２８の方法。
【請求項３０】
オーバフロー条件が存在すると判定される場合に、
前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々を読み取ること（６１０）、
をさらに含む、請求項２９の方法。
【請求項３１】
オーバフロー条件が存在しないと判定される場合に、
前記現在送信中のＥＣ−ＳＩメッセージのセットからの前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージのうちのもしあるならばどの１つ以上が前記前回送信されたＥＣ−ＳＩメッセージのセットから修正されているのかを、読み取られる前記ＥＣ−ＳＩメッセージ内の前記ビットマップを利用して判定すること（６０４）、
をさらに含む、請求項２９の方法。
【請求項３２】
読み取られる前記ＥＣ−ＳＩメッセージが前記現在送信中のＥＣ−ＳＩメッセージのセットからの前記前回送信されたＥＣ−ＳＩメッセージのセットから修正されているただ１つであるとの判定に基づいて、前記現在送信中のＥＣ−ＳＩメッセージのセット内の残りのＥＣ−ＳＩメッセージの読み取りをスキップすること（６０６）、
をさらに含む、請求項３１の方法。
【請求項３３】
読み取られる前記ＥＣ−ＳＩメッセージが前記前回送信されたＥＣ−ＳＩメッセージのセットから修正されておらず但し前記現在送信中のＥＣ−ＳＩメッセージのセットからの他のＥＣ−ＳＩメッセージが前記前回送信されたＥＣ−ＳＩメッセージのセットから修正されているとの判定に基づいて、修正された前記ＥＣ−ＳＩメッセージが受信されるはずのときまで電力を引き下げ（６０８）、そして電力を引き上げて修正された前記ＥＣ−ＳＩメッセージを読み取ること、
をさらに含む、請求項３１の方法。
【請求項３４】
前記ビットマップ（２１２１）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、２ビットの変更マークインジケータ（２１４１）を含む、請求項２８の方法。
【請求項３５】
前記ビットマップ（２１２２）は、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について、１ビットの変更マークインジケータ（２１４２）を含む、請求項２８の方法。
【請求項３６】
前記ビットマップ（２１２３）は、オーバフロー制御ビット（２１５）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４３）とを含む、請求項２８の方法。
【請求項３７】
前記ビットマップ（２１２４）は、２ビットのオーバフロー制御フィールド（２１７）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について１ビットの変更マークインジケータ（２１４４）とを含む、請求項２８の方法。
【請求項３８】
前記ビットマップ（２１２５）は、オーバフロー制御ビット（２１９）と、前記ＥＣ−ＳＩタイプ１メッセージ、前記ＥＣ−ＳＩタイプ２メッセージ、前記ＥＣ−ＳＩタイプ３メッセージ及び前記ＥＣ−ＳＩタイプ４メッセージの各々について２ビットの変更マークインジケータ（２１４５）とを含む、請求項２８の方法。
【発明の詳細な説明】
【技術分野】
【０００１】
［優先権の主張］
本出願は、２０１６年１月７日に提出された米国仮出願第６２／２７６，１４９号の優先権の利益を主張し、その内容はここであらゆる目的で全体として参照によりここに取り入れられる。
【０００２】
［技術分野］
本開示は、移動局による最後の読み取りに対して、どのシステム情報（ＳＩ）メッセージ（もしあれば）が変化したかを移動局（例えば、ＣＩｏＴデバイス）へ指し示すための、無線アクセスネットワークノード（例えば、基地局サブシステム）及び方法に関連する。加えて、本開示は、移動局による最後の読み取りに対して、どのシステム情報（ＳＩ）メッセージ（もしあれば）が変化したかの標識を受信するための、移動局（例えば、ＣＩｏＴデバイス）及び方法に関連する。
【背景技術】
【０００３】
以下の略語及び用語がここで定義され、そのうち少なくともいくつかは、本開示の以下の説明内で言及される。
３ＧＰＰ        3rd-Generation  Partnership  Project
ＡＧＣＨ        Access  Grant  Channel
ＡＳＩＣ        Application  Specific  Integrated  Circuit  
ＢＬＥＲ        Block  Error  Rate
ＢＳＳ          Base  Station  Subsystem
ＣＣ            Coverage  Class
ＣＣＣ          Change  Control  Cycle
ＣＩｏＴ        Cellular  Internet  of  Things
ＣＮ            Core  Network
ＤＲＸ          Discontinuous  Reception
ＥＣ            Extended  Coverage
ＥＣ−ＢＣＣＨ  Extended  Coverage  Broadcast  Control  Channel
ＥＣ−ＧＳＭ    Extended  Coverage  Global  System  for  Mobile  Communications
ＥＣ−ＰＣＨ    Extended  Coverage  Paging  Channel
ＥＣ−ＳＣＨ    Extended  Coverage  Synchronization  Channel
ＥＣ−ＳＩ      Extended  Coverage  System  Information
ｅＤＲＸ        Extended  Discontinuous  Reception  
ｅＮＢ          Evolved  Node  B
ＤＬ            Downlink
ＤＳＰ          Digital  Signal  Processor
ＥＤＧＥ        Enhanced  Data  rates  for  GSM  Evolution
ＥＧＰＲＳ      Enhanced  General  Packet  Radio  Service
ＧＳＭ          Global  System  for  Mobile  Communications
ＧＥＲＡＮ      GSM/EDGE  Radio  Access  Network
ＧＰＲＳ        General  Packet  Radio  Service
ＨＡＲＱ        Hybrid  Automatic  Repeat  Request
ＩｏＴ          Internet  of  Things
ＬＴＥ          Long-Term  Evolution
ＭＣＳ          Modulation  and  Coding  Scheme
ＭＭＥ          Mobility  Management  Entity
ＭＳ            Mobile  Station
ＭＴＣ          Machine  Type  Communications
ＮＢ            Node  B
ＰＤＮ          Packet  Data  Network
ＰＤＴＣＨ      Packet  Data  Traffic  Channel
ＲＡＣＨ        Random  Access  Channel
ＲＡＮ          Radio  Access  Network
ＲＡＴ          Radio  Access  Technology
ＳＧＳＮ        Serving  GPRS  Support  Node
ＳＩ            System  Information
ＴＤＭＡ        Time  Division  Multiple  Access
ＴＳ            Technical  Specifications
ＵＥ            User  Equipment
ＵＬ            Uplink
ＷＣＤＭＡ      Wideband  Code  Division  Multiple  Access
ＷｉＭＡＸ      Worldwide  Interoperability  for  Microwave  Access
【０００４】
カバレッジクラス（ＣＣ）：任意の時点で、移動局は、レガシーのセルプランニングのためのリファレンスカバレッジとして供されるレガシー無線インタフェース性能属性（例えば、ＰＤＴＣＨ上の単一の無線ブロック送信後の１０％というブロックエラーレート）か、又はリファレンスカバレッジと比較して劣化した無線インタフェース性能属性のレンジ（例えば、リファレンスカバレッジのそれよりも２０ｄＢまで低い性能）か、のいずれかに対応する特定のアップリンク／ダウンリンクカバレッジクラスに属する。カバレッジクラスは、無線ブロックを送信／受信する際に使用されるべきブラインド送信の合計の回数を左右する。任意の時点で適用可能なアップリンク／ダウンリンクカバレッジクラスは、異なる論理チャネルの間で相違し得る。システムアクセスの開始後に、移動局は、約１０％のＢＬＥＲ（ブロックエラーレート）を経験するためにＢＳＳ（無線アクセスネットワークノード）の受信機／移動局の受信機により必要とされる無線ブロックのブラインド送信の回数を推定することに基づいて、ＲＡＣＨ／ＡＧＣＨへ適用可能なアップリンク／ダウンリンクカバレッジクラスを判定する。ＢＳＳは、目標ＢＬＥＲを満たすために必要とされる無線ブロックのブラインド送信の回数を推定すること、及びその目標ＢＬＥＲを用いて無線ブロックの成功裏の受信のために平均して必要とされるであろう（無線ブロックの）ＨＡＲＱ再送の回数を考慮することに基づいて、割り当てられるパケットチャネルリソース上で移動局により使用されるべきアップリンク／ダウンリンクカバレッジクラスを判定する。注記：リファレンスカバレッジ（通常カバレッジ）に対応する無線インタフェース性能属性で動作している移動局は、最良のカバレッジクラス（即ち、カバレッジクラス１）内にいるものと見なされ、従って、初期のブラインド送信の後に何らの追加的なブラインド送信を行わない。このケースにおいて、移動局は、通常カバレッジ移動局として言及され得る。対照的に、拡張カバレッジ（即ち、１よりも大きいカバレッジクラス）に対応する無線インタフェース性能属性で動作している移動局は、複数回のブラインド送信を行う。このケースにおいて、移動局は、拡張カバレッジ移動局として言及され得る。複数回のブラインド送信に相当するケースでは、Ｎ回の送信の全てに先立って受信側が無線ブロックを成功裏に回復できるかの判定を送信側で試行することなく、適用可能な無線リソース（例えば、ページングチャネル）を用いて、無線ブロックのＮ個のインスタンスが連続的に送信される。送信側は、受信側が目標ＢＬＥＲ性能（例えば、ページングチャネルについて、目標ＢＬＥＲ≦１０％）を実現することを助けようとしてこれを行う。
【０００５】
ＤＲＸサイクル：不連続受信（ＤＲＸ）は、移動局が到来するメッセージの受信を予期しないときに自身の受信能力を無効化し、及び、メッセージ受信の可能性が予想されるリーチャビリティピリオド（period  of  reachability）の期間中に自身の受信能力を有効化する、移動局の処理である。ＤＲＸを作動させるために、ネットワークは、リーチャビリティのインスタンスがいつ生じるかに関して、移動局と協調を行う。従って、移動局は、予めスケジューリングされるリーチャビリティピリオドの期間中にのみ、ウェイクアップし及びメッセージ受信を有効化することになる。この処理は、電力消費を低減し、それにより移動局のバッテリ寿命が延長され、時に（ディープ）スリープモードと呼ばれる。
【０００６】
拡張カバレッジ：拡張カバレッジの一般的な原理は、対象のチャネルについて目標ブロックエラーレート性能（ＢＬＥＲ）を実現するために、制御チャネルについて及びデータチャネルについてブラインド送信を使用するということである。加えて、データチャネルについて、ＭＣＳ−１（即ち、今日のＥＧＰＲＳにおいてサポートされる最低の変調符号化方式（ＭＣＳ））を前提としたブラインド送信の使用がＨＡＲＱ再送と組み合わせられて、データ送信性能の所要のレベルが実現される。拡張カバレッジについてのサポートは、異なる複数のカバレッジクラスを定義することにより実現される。カバレッジクラスの各々にはブラインド送信の相異なる回数が関連付けられ、複数回のブラインド送信が必要とされるカバレッジクラスに拡張カバレッジが関連付けられる（即ち、１回のブラインド送信は、リファレンスカバレッジであると見なされる）。所与のカバレッジクラスについての合計のブラインド送信の回数は、異なる論理チャネルの間で相違し得る。
【０００７】
ＩｏＴ（Internet  of  Things）デバイス：ＩｏＴ（Internet  of  Things）は、電子機器、ソフトウェア、センサ、及び、対象がデータを交換することを可能にするための接続性、と共に組み込まれる物理的対象あるいは“モノ（things）”のネットワークであり、データ交換の相手は、製造業者、事業者、及び／又は、ＩＴＵ（International  Telecommunication  Union）のＧＳＩ（Global  Standards  Initiative）の基盤に基づく他の接続済みデバイスである。ＩｏＴは、既存のネットワーク基盤をまたいで遠隔的に対象をセンシングし及び制御することを可能にし、物理的世界とコンピュータベースのシステムとの間のより直接的な統合の機会を生み出し、結果として改善された効率性、正確性及び経済的恩恵をもたらす。各々のモノは、それらが組み込まれるコンピューティングシステムを通じて一意に識別可能であるが、既存のインターネット基盤の範囲内で相互運用することができる。専門家は、ＩｏＴが２０２０年までに凡そ５００億の対象からなるであろうと推定している。
【０００８】
セルラーＩｏＴ（ＣＩｏＴ）デバイス：ＣＩｏＴデバイスは、セルラーネットワークを用いて接続性を確立するＩｏＴデバイスである。
【０００９】
マシンタイプ通信（ＭＴＣ）デバイス：ＭＴＣデバイスは、デバイスとのヒューマンインタラクションのためのサポートが典型的には不要でありデバイスとの間のデータ送信がむしろ短い（例えば、最大で数百オクテット）ことが予期されるタイプのデバイスである。最小限の機能性をサポートするＭＴＣデバイスは、通常のセルの外形を用いて動作するだけであると予期することができ、そのため拡張カバレッジの概念をサポートしない一方、高度なケイパビリティを伴うＭＴＣデバイスは、拡張カバレッジをサポートし得る。
【００１０】
３ＧＰＰ（Third  Generation  Partnership  Project）ＴＳＧ（Technical  Specification  Group）ＧＥＲＡＮ（GSM/EDGE  Radio  Access  Network）ミーティング＃６７において、“New  Work  Item  on  Extended  Coverage  GSM  (EC-GSM)  for  support  of  Cellular  Internet  of  Things”（ＣＩｏＴ）というタイトルの新たな作業項目が議論され、カバレッジを２０ｄＢ改善し、デバイスのバッテリ寿命を改善し、及びデバイスの複雑度を引き下げるという意図を伴って、ＧＰ−１５１０３９（２０１５年８月１０〜１４日付け）で承認された。ここで、ＧＰ−１５１０３９の内容は、あらゆる目的のために参照によりここに取り入れられる。
【００１１】
拡張カバレッジ（即ち、レガシーのＧＰＲＳ（General  Packet  Radio  Service）／ＥＧＰＲＳ（Enhanced  GPRS）動作のそれを上回るカバレッジレンジ）は、アップリンク（ＵＬ）及びダウンリンク（ＤＬ）の双方での盲目的な物理レイヤの反復により達成され、反復の回数は所与のカバレッジクラス（ＣＣ）に関連付けられる。拡張カバレッジでの動作をサポートする論理チャネルは、拡張カバレッジ（ＥＣ）チャネルとして言及される。４つの異なるカバレッジクラスが進行中の３ＧＰＰ標準化作業において定義されており、各カバレッジクラスは、レガシーのＧＰＲＳ／ＥＧＰＲＳ動作と比較して拡張されたカバレッジレンジのレベルを伴うものと見積もられ、それらをそれぞれＣＣ１、ＣＣ２、ＣＣ３及びＣＣ４と称する。より具体的には、ＣＣ１は、レガシーＧＰＲＳ／ＥＧＰＲＳ動作のカバレッジレンジに相当する（即ち、拡張カバレッジ及び盲目的な反復は使用されない）。ＣＣ２は、ＥＣ−ＲＡＣＨ、ＥＣ−ＰＤＴＣＨ及びＥＣ−ＰＡＣＣＨについて４回の盲目的な反復を、ＥＣ−ＰＣＨ及びＥＣ−ＡＧＣＨについて８回の盲目的な反復を有する。ＣＣ３は、ＥＣ−ＲＡＣＨについて１６回の盲目的な反復を、ＥＣ−ＰＤＴＣＨ及びＥＣ−ＰＡＣＣＨについて８回の盲目的な反復を、ＥＣ−ＰＣＨ及びＥＣ−ＡＧＣＨについて１６回の盲目的な反復を有する。ＣＣ４は、ＥＣ−ＲＡＣＨについて４８回の盲目的な反復を、ＥＣ−ＰＤＴＣＨ及びＥＣ−ＰＡＣＣＨについて１６回の盲目的な反復を、ＥＣ−ＰＣＨ及びＥＣ−ＡＧＣＨ上で３２回の盲目的な送信を有する。
【００１２】
いくつかの論理チャネルについて、盲目的な物理レイヤの反復の回数は、所要のカバレッジ拡張に依存して変化し得る。しかし、ＭＳ（Mobile  Station）／ＣＩｏＴデバイスがＥＣ−ＧＳＭ（Extended  Coverage  Global  System  for  Mobile）通信システムへのアクセスを獲得するために必要とされる全てのシステム情報（ＳＩ）を搬送する拡張カバレッジブロードキャスト制御チャネル（ＥＣ−ＢＣＣＨ）については、盲目的な物理レイヤの反復の回数は、常に１６に固定される（即ち、最高のカバレッジクラス（ＣＣ４）に対応する拡張カバレッジ内の移動局へ到達するためには、ＥＣ−ＳＩメッセージの全体又は断片を含む各ＥＣ−ＢＣＣＨブロックは、常に１６個の連続する５１マルチフレーム（51-multiframes）にわたって反復される）。
【００１３】
現行のＥＣ−ＧＳＭ向けの標準化作業において、ＥＣ−システム情報タイプ１（ＥＣ−ＳＩ  １）、ＥＣ−システム情報タイプ２（ＥＣ−ＳＩ  ２）、ＥＣ−システム情報タイプ３（ＥＣ−ＳＩ  ３）及びＥＣ−システム情報タイプ４（ＥＣ−ＳＩ  ４）と称される４つのシステム情報（ＳＩ）メッセージが定義されている。
【００１４】
ＥＣ−ＳＩメッセージは、５１マルチフレームごとに単一のＥＣ−ＢＣＣＨブロック上で送信されるか（ＥＣ−ＢＣＣＨノーマルとして知られる）、又は、オプションとして、５１マルチフレームごとに２つのＥＣ−ＢＣＣＨブロック上で送信されるか（２番目のＥＣ−ＢＣＣＨブロックはＥＣ−ＢＣＣＨ拡張として知られる）のいずれかである。各ＥＣ−ＳＩメッセージは、ラウンドロビン方式で１６個の連続する５１マルチフレーム内の１６個の連続するＥＣ−ＢＣＣＨブロックにわたって反復される。ＥＣ−システム情報（ＥＣ−ＳＩ）メッセージ送信の一例が、以下にテーブル＃１において提供されている。
【００１５】
【表１】
2019506774.tif 000003
【００１６】
テーブル＃１におけるシグナリングは、セル内でＥＣ−システム情報をいかにブロードキャストするかの１つの例に過ぎない。ＢＣＣＨ拡張がセルにおいてアクティブ化されていない場合、全てのＥＣ−ＳＩメッセージ（ＥＣ−ＳＩ〜ＥＣ−ＳＩ４）が代わりにラウンドロビン方式でＥＣ−ＢＣＣＨノーマルブロック上で送信されることになる。
【００１７】
ＥＣ−ＳＩは、ＥＣ−ＧＳＭシステム内の各セルにおいてブロードキャストされ、ネットワークアイデンティティパラメータ、セル選択パラメータ、電力制御パラメータ、隣接セルなどといったネットワーク関連情報を搬送する。移動局（ＭＳ）が例えば電源オン時に又はセル再選択時に新たなセルへ入る場合、ＭＳは、セルへアクセスする前に完全なＥＣ−システム情報のセット（即ち、全てのＥＣ−ＳＩメッセージ）を読み取ることを必要とする。
【００１８】
不連続受信（ＤＲＸ）は、ＭＳがある時間ピリオドにわたってアイドルモードである最中に電力を引き下げることを可能にする電力節約技法である。ＭＳが電力を引き下げる時間ピリオドは、通常、“スリープモード”と呼ばれる。ＭＳは、前回完全なＥＣ−システム情報を読み取ったセルと同じセルにおいて、自身のＤＲＸサイクルに従って“スリープモード”からウェイクアップすると（例えば、ＭＳは、２６分のＤＲＸサイクルを使用する場合、２６分ごとに一度ウェイクアップする）、セルへアクセスする前に、ＥＣ−同期チャネル（ＥＣ−ＳＣＨ）内に含まれるＥＣ−ＳＩ変更マークインジケータを読み取ることを必要とする（ＥＣ−ＳＣＨは、周波数及び基地局アイデンティティといった情報を提供する、ＥＣ−ＢＣＣＨと同じキャリア上で送信される論理チャネルである）。ＥＣ−ＳＩ変更マークインジケータは、ネットワークがＥＣ−ＳＩメッセージの内容を変更する都度逓増される、０から３までの値のレンジをとる２ビットのフィールドである。ＥＣ−ＳＩ変更マークインジケータの値が最後に当該インジケータが読み取られてから変化していなければ、ＭＳは、ＥＣ−ＳＩメッセージセットの内容は変更されていないと結論付ける。しかし、ＭＳは、ＥＣ−ＳＣＨを読み取る際にＥＣ−ＳＩ変更マークインジケータの変化を検出すると、少なくとも１つのＥＣ−ＳＩメッセージの内容が変化したことを理解し、よって、ネットワークへアクセスする前にセル内の全てのＥＣ−ＳＩメッセージを再読み取りすることを必要とする。
【００１９】
既存の解決策に伴う問題は、ＥＣ−ＳＣＨ内のＥＣ−ＳＩ変更マークインジケータフィールドの変化がどの特定のＥＣ−ＳＩメッセージが変更されたのかを指し示さないこと、即ち、ＭＳは実際には１つのＥＣ−ＳＩメッセージのみが変更されたとしても、完全なＥＣ−ＳＩメッセージ（ＥＣ−ＳＩ１〜ＥＣ−ＳＩ４）セットを読み取ることを必要とすることである。
【００２０】
ＥＣ−ＳＩ変更マークインジケータをオーバフローさせずに（ある最大回数まで）ＥＣ−システム情報の内容をネットワークが変更し得る時間ピリオドを、ここでＥＣ−ＳＩ変更制御サイクルとして定義する。ＥＣ−ＳＩ変更制御サイクルの長さは、実質的にネットワークにより選択され、ネットワークがある最大回数よりも高い頻度でのＥＣ−システム情報の変更を回避することを意図する時間インターバルとして供される（例えば、ＥＣ−ＳＩ変更制御サイクルが２４時間という長さである場合、ネットワークは、その時間ピリオドの期間中に３回を上回る頻度でＥＣ−システム情報を変更しないことにより、ＥＣ−ＳＩ変更マークインジケータをオーバフローさせることを回避する）。
【００２１】
概して、ＭＳが高過ぎる頻度で完全なＥＣ−システム情報メッセージセット（ＥＣ−ＳＩ１〜ＥＣ−ＳＩ４）を読み取ることを回避できれば有利である。その理由は、ＭＳが完全なＥＣ−ＳＩメッセージセットを再読み取りする必要がある際のネットワークアクセス遅延のみならず（ＥＣ−ＢＣＣＨノーマル上の４つのＥＣ−ＳＩメッセージを読み取るために要する時間は、１つのＥＣ−ＢＣＣＨブロックが１つの完全なＥＣ−ＳＩメッセージを搬送すると仮定して、最悪のカバレッジクラス（ＣＣ４）を用いるＭＳについて、約１６秒である）、ＭＳは実際には変更されていないＥＣ−ＳＩメッセージを取得し及び復号する際に貴重なバッテリ電力を無駄にすることにもなり、よって、完全なＥＣ−ＳＩメッセージセット（ＥＣ−ＳＩ１〜ＥＣ−ＳＩ４）を常に読み取ることは、ＭＳのバッテリ寿命へ悪影響を有するであろう。これら問題及び他の問題が、本開示により対処される。
【発明の概要】
【００２２】
独立請求項において、前述した問題に対処するためのＲＡＮノード（例えば、ＢＳＳ）、移動局及び多様な方法が記述されている。従属請求項には、ＲＡＮノード（例えば、ＢＳＳ）、移動局及び多様な方法の有利な実施形態がさらに記述されている。
【００２３】
ある観点において、本開示は、１つ以上の移動局とインタラクションするように構成されるＲＡＮノードを提供する。上記ＲＡＮノードは、プロセッサと、プロセッサ実行可能な命令を記憶するメモリとを備え、上記プロセッサは、上記プロセッサ実行可能な命令を実行するように上記メモリとインタフェースし、それにより、上記ＲＡＮノードは、ＥＣ−ＢＣＣＨ上でＥＣ−ＳＩメッセージを上記１つ以上の移動局へ送信する、ように動作可能である。送信される上記ＥＣ−ＳＩメッセージは、ＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含む現在送信中のＥＣ−ＳＩメッセージのセットからのものである。加えて、送信される上記ＥＣ−ＳＩメッセージは、上記現在送信中のＥＣ−ＳＩメッセージのセットからの上記ＥＣ−ＳＩタイプ１メッセージ、上記ＥＣ−ＳＩタイプ２メッセージ、上記ＥＣ−ＳＩタイプ３メッセージ及び上記ＥＣ−ＳＩタイプ４メッセージのうちのもしあるならばどの１つ以上が前回送信されたＥＣ−ＳＩメッセージのセットから修正されているのかを指し示すビットマップを含む。上記ＲＡＮノードが上記送信動作を行う利点は、上記１つ以上の移動局が送信される上記ＥＣ−ＳＩメッセージを読み取り、そして、実際には変更されていないＥＣ−ＳＩメッセージを取得し及び復号しなくてよいことで、貴重なバッテリ電力の浪費を回避することができることである。
【００２４】
他の観点において、本開示は、１つ以上の移動局とインタラクションするように構成されるＲＡＮノードにおける方法を提供する。上記方法は、ＥＣ−ＢＣＣＨ上でＥＣ−ＳＩメッセージを上記１つ以上の移動局へ送信するステップ、を含む。送信される上記ＥＣ−ＳＩメッセージは、ＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含む現在送信中のＥＣ−ＳＩメッセージのセットからのものである。加えて、送信される上記ＥＣ−ＳＩメッセージは、上記現在送信中のＥＣ−ＳＩメッセージのセットからの上記ＥＣ−ＳＩタイプ１メッセージ、上記ＥＣ−ＳＩタイプ２メッセージ、上記ＥＣ−ＳＩタイプ３メッセージ及び上記ＥＣ−ＳＩタイプ４メッセージのうちのもしあるならばどの１つ以上が前回送信されたＥＣ−ＳＩメッセージのセットから修正されているのかを指し示すビットマップを含む。上記ＲＡＮノードが上記送信するステップを行う利点は、上記１つ以上の移動局が送信される上記ＥＣ−ＳＩメッセージを読み取り、そして、実際には変更されていないＥＣ−ＳＩメッセージを取得し及び復号しなくてよいことで、貴重なバッテリ電力の浪費を回避することができることである。
【００２５】
また別の観点において、本開示は、プロセッサと、プロセッサ実行可能な命令を記憶するメモリと、を備える移動局を提供し、上記プロセッサは、上記プロセッサ実行可能な命令を実行するように上記メモリとインタフェースし、それにより、上記移動局は、読み取り動作を実行する、ように動作可能である。その読み取り動作において、上記移動局は、ＥＣ−ＢＣＣＨ上のＥＣ−ＳＩメッセージを読み取る。読み取られる上記ＥＣ−ＳＩメッセージは、ＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含む現在送信中のＥＣ−ＳＩメッセージのセットからのものである。加えて、読み取られる上記ＥＣ−ＳＩメッセージは、上記現在送信中のＥＣ−ＳＩメッセージのセットからの上記ＥＣ−ＳＩタイプ１メッセージ、上記ＥＣ−ＳＩタイプ２メッセージ、上記ＥＣ−ＳＩタイプ３メッセージ及び上記ＥＣ−ＳＩタイプ４メッセージのうちのもしあるならばどの１つ以上が前回送信されたＥＣ−ＳＩメッセージのセットから修正されているのかを指し示すビットマップを含む。上記移動局が上記読み取り動作を行う利点は、読み取られる上記ＥＣ−ＳＩメッセージ内のビットマップを使用して、実際には変更されていないＥＣ−ＳＩメッセージを取得し及び復号しなくてよいことで貴重なバッテリ電力の浪費を回避することができることである。
【００２６】
やはりまた別の観点において、本開示は、移動局における方法を提供し、上記方法は、ＥＣ−ＢＣＣＨ上のＥＣ−ＳＩメッセージを読み取るステップ、を含む。読み取られる上記ＥＣ−ＳＩメッセージは、ＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含む現在送信中のＥＣ−ＳＩメッセージのセットからのものである。加えて、読み取られる上記ＥＣ−ＳＩメッセージは、上記現在送信中のＥＣ−ＳＩメッセージのセットからの上記ＥＣ−ＳＩタイプ１メッセージ、上記ＥＣ−ＳＩタイプ２メッセージ、上記ＥＣ−ＳＩタイプ３メッセージ及び上記ＥＣ−ＳＩタイプ４メッセージのうちのもしあるならばどの１つ以上が前回送信されたＥＣ−ＳＩメッセージのセットから修正されているのかを指し示すビットマップを含む。上記移動局が上記読み取るステップを行う利点は、読み取られる上記ＥＣ−ＳＩメッセージ内のビットマップを使用して、実際には変更されていないＥＣ−ＳＩメッセージを取得し及び復号しなくてよいことで貴重なバッテリ電力の浪費を回避することができることである。
【００２７】
本開示の追加的な観点が、ある部分では詳細な説明、図面及び後に続く何らかの請求項において説示され、並びに、ある部分では詳細な説明から導出されるであろう。あるいは、それらを本発明の実践によって学習することができる。理解されるべきこととして、前述の一般的な説明及び後続の詳細な説明は、例示的であって説明用に過ぎず、本開示を限定するものではない。
【図面の簡単な説明】
【００２８】
添付図面と併せて考慮された場合に、以下の詳細な説明への参照により、本開示のより充分な理解が得られるであろう。
【００２９】
【図１】本開示の一実施形態に従って構成されるＣＮノード、複数のＲＡＮノード及び複数の移動局を含む例示的なワイヤレス通信ネットワークの図である。
【図２】本開示の様々な実施形態に従って、複数の移動局（１つを図示）へＥＣ−ＢＣＣＨ上で各々伝送されビットマップを有するＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含むＥＣ−ＳＩメッセージのセットをＲＡＮノードが送信することを示す図である。
【図３】本開示の一実施形態に従って、４つのＥＣ−ＳＩメッセージ、即ちＥＣ−ＳＩタイプ１メッセージ、ＥＣ−ＳＩタイプ２メッセージ、ＥＣ−ＳＩタイプ３メッセージ及びＥＣ−ＳＩタイプ４メッセージを含むＥＣ−ＳＩメッセージ変更シナリオについて、４ビットの変更マークインジケータ（各ＥＣ−ＳＩメッセージが対応する単一のビットの変更マークインジケータを有する）と共通のオーバフロー制御ビット（全てのＥＣ−ＳＩメッセージに共通）とを含むビットマップを例示する図である。
【図４】本開示の一実施形態に従ってＲＡＮノードにおいて実装される方法のフローチャートである。
【図５】本開示の一実施形態に従って構成されるＲＡＮノードの構造を示すブロック図である。
【図６】本開示の一実施形態に従って移動局において実装される方法のフローチャートである。
【図７】本開示の一実施形態に従って構成される移動局の構造を示すブロック図である。
【発明を実施するための形態】
【００３０】
まず、本開示の一実施形態に従って、ＣＮノード（例えば、ＳＧＳＮ、ＭＭＥ）、複数のＲＡＮノード（例えば、ＢＳＳ、ＮｏｄｅＢ、ｅＮｏｄｅＢ）及び複数の移動局（例えば、ワイヤレスデバイス、ＭＴＣデバイス、ＣＩｏＴデバイス）を含む例示的なワイヤレス通信ネットワークを説明するための議論が提供される（図１参照）。次いで、本開示の様々な実施形態に従って、移動局による最後の読み取りに対してどのシステム情報（ＳＩ）メッセージ（もしあれば）が変更されたのかを移動局（例えば、ＣＩｏＴデバイス）へ指し示すためにＲＡＮノード（例えば、ＢＳＳ、ＮｏｄｅＢ、ｅＮｏｄｅＢ）が使用し得る多様な技法を開示するための議論が提供される（図２〜図３参照）。その後、本開示の様々な実施形態に従って、ＲＡＮノード（例えば、ＢＳＳ、ＮｏｄｅＢ、ｅＮｏｄｅＢ）及び移動局の基本的な機能性−構成を説明するための議論が提供される（図４〜図７参照）。
【００３１】
＜例示的なワイヤレス通信ネットワーク１００＞
図１を参照すると、本開示に係る例示的なワイヤレス通信ネットワーク１００が示されている。ワイヤレス通信ネットワーク１００は、（少なくとも１つのＣＮノード１０７を含む）コアネットワーク１０６と、複数の移動局１０４１、１０４２、１０４３…１０４ｎへのインタフェースを有する複数のＲＡＮノード１０２１及び１０２２（２つのみが示されている）とを含む。ワイヤレス通信ネットワーク１００は、多くのよく知られたコンポーネントをも含むが、簡明さのために、本開示の特徴を説明するために必要とされるコンポーネントのみがここで説明される。さらに、ワイヤレス通信ネットワーク１００は、ＥＤＧＥワイヤレス通信ネットワーク１００としても知られるＧＳＭ／ＥＧＰＲＳワイヤレス通信ネットワーク１００としてここで説明される。しかしながら、ＧＳＭ／ＥＧＰＲＳワイヤレス通信ネットワーク１００へ適用される本開示の技法が例えばＥＣ−ＧＳＭ、ＷＣＤＭＡ、ＬＴＥ及びＷｉＭＡＸシステムを含む他のタイプのワイヤレス通信システムへ広く適用可能であることを、当業者は容易に認識するであろう。
【００３２】
ワイヤレス通信ネットワーク１００は、移動局１０４１、１０４２、１０４３…１０４ｎへネットワークアクセスを提供するＲＡＮノード１０２１及び１０２２（ワイヤレスアクセスノード−２つのみ示されている）を含む。この例において、ＲＡＮノード１０２１は移動局１０４１へネットワークアクセスを提供しており、一方でＲＡＮノード１０２２は１０４２、１０４３…１０４ｎへネットワークアクセスを提供している。ＲＡＮノード１０２１及び１０２２は、コアネットワーク１０６（例えば、ＳＧＳＮコアネットワーク１０６）へ、具体的にはＣＮノード１０７（例えば、ＳＧＳＮ１０７）へ接続されている。コアネットワーク１０６は、インターネット及びサーバ１１０（１つのみ示されている）といった外部のパケットデータネットワーク（ＰＤＮ）１０８へ接続されている。移動局１０４１、１０４２、１０４３…１０４ｎは、コアネットワーク１０６及び／又はＰＤＮ１０８へ接続される１つ以上のサーバ１１０（１つのみ示されている）と通信し得る。
【００３３】
移動局１０４１、１０４２、１０４３…１０４ｎは、概して、ワイヤレス通信ネットワーク１００へアタッチする末端の端末（ユーザ）への言及であってよく、ＭＴＣデバイス（例えば、スマートメータ）か又は非ＭＴＣデバイスかのいずれかへの言及であってもよい。さらに、“移動局”との用語は、概して、モバイルデバイス、ワイヤレスデバイスといった用語と同義であるものと意図される。“ユーザ機器”あるいはＵＥは、その用語として３ＧＰＰにより使用され、端末などのスタンドアローンの移動局、セルフォン、スマートフォン、タブレット、セルラーＩｏＴデバイス、ＩｏＴデバイス、及び、ワイヤレスを具備したＰＤＡ（personal  digital  assistants）、並びに、ＰＣ（personal  computer）や電気メータなどといった他の電子デバイスへの取付け若しくは挿入のために設計されるワイヤレスカード又はモジュールを含む。
【００３４】
同様に、文脈が別段明示的に示さない限り、ＲＡＮノード１０２１及び１０２２（ワイヤレスアクセスノード１０２１及び１０２２）は、ワイヤレス通信ネットワーク１００内の基地局、ワイヤレスアクセスノード又はワイヤレスアクセスポイントへ言及する最も広い意味でここで使用されており、物理的に異なる無線ネットワークコントローラにより制御されるＲＡＮノード１０２１及び１０２２への、並びにより自律的なアクセスポイントへの言及であってよく、ＬＴＥ（Long-Term  Evolution）ネットワーク内のいわゆる拡張ＮｏｄｅＢ（ｅＮｏｄｅＢ）などである。
【００３５】
各移動局１０４１、１０４２、１０４３…１０４ｎは、ＲＡＮノード１０２１及び１０２２との通信のための送受信回路１１０１、１１０２、１１０３…１１０ｎと、送受信回路１１０１、１１０２、１１０３…１１０ｎにより送受信される信号を処理するため、及び対応する移動局１０４１、１０４２、１０４３…１０４ｎの動作を制御するための処理回路１１２１、１１２２、１１２３…１１２ｎとを含み得る。送受信回路１１０１、１１０２、１１０３…１１０ｎは、例えばＧＳＭ／ＥＤＧＥ標準及びＥＣ−ＧＳＭ標準といった任意の標準に従って動作し得る、送信機１１４１、１１４２、１１４３…１１４ｎ及び受信機１１６１、１１６２、１１６３…１１６ｎを含み得る。処理回路１１２１、１１２２、１１２３…１１２ｎは、プロセッサ１１８１、１１８２、１１８３…１１８ｎと、対応する移動局１０４１、１０４２、１０４３…１０４ｎの動作を制御するためのプログラムコードを記憶するためのメモリ１２０１、１２０２、１２０３…１２０ｎとを含み得る。上記プログラムコードは、後に説明されるような手続を実行するためのコードを含み得る。
【００３６】
各ＲＡＮノード１０２１及び１０２２（ワイヤレスアクセスノード１０２１及び１０２２）は、移動局１０４１、１０４２、１０４３…１０４ｎとの通信のための送受信回路１２２１及び１２２２と、送受信回路１２２１及び１２２２により送受信される信号を処理するため、及び対応するＲＡＮノード１０２１及び１０２２の動作を制御するための処理回路１２４１及び１２４２と、コアネットワーク１０６と通信するためのネットワークインタフェース１２６１及び１２６２とを含み得る。送受信回路１２２１及び１２２２は、例えばＧＳＭ／ＥＤＧＥ標準及びＥＣ−ＧＳＭ標準といった任意の標準に従って動作し得る、送信機１２８１及び１２８２並びに受信機１３０１及び１３０２を含み得る。処理回路１２４１及び１２４２は、プロセッサ１３２１及び１３２２と、対応する対応するＲＡＮノード１０２１び１０２２の動作を制御するためのプログラムコードを記憶するためのメモリ１３４１及び１３４２とを含み得る。上記プログラムコードは、後に説明されるような手続を実行するためのコードを含み得る。
【００３７】
ＣＮノード１０７（例えば、ＳＧＳＮ１０７、ＭＭＥ１０７）は、ＲＡＮノード１０２１及び１０２２との通信のための送受信回路１３６と、送受信回路１３８により送受信される信号を処理するため、及びＣＮノード１０７の動作を制御するための処理回路１３８と、ＲＡＮノード１０２１及び１０２２と通信するためのネットワークインタフェース１４０とを含み得る。送受信回路１３６は、例えばＧＳＭ／ＥＤＧＥ標準及びＥＣ−ＧＳＭ標準といった任意の標準に従って動作し得る、送信機１４２及び受信機１４４を含み得る。処理回路１３８は、プロセッサ１４６と、ＣＮノード１０７の動作を制御するためのプログラムコードを記憶するためのメモリ１４８とを含み得る。上記プログラムコードは、後に説明されるような手続を実行するためのコードを含み得る。
【００３８】
＜どのＳＩメッセージが変化したかを指し示すための技法＞
（例えば）ＭＳ１０４２がＥＣ−ＳＣＨ内のＥＣ−ＳＩ変更マークインジケータの変化の検出に起因してＥＣ−システム情報メッセージ２００のうちのどれが変化したかを判定することを要する場合、ＭＳ１０４２は、（例えば）ＲＡＮノード１０２２によりＥＣ−ＢＣＣＨ２１０上で送信されるＥＣ−ＳＩメッセージの取得を開始することになる。ＥＣ−ＳＩメッセージ２００は、ラウンドロビンスケジューリングアルゴリズムを用いて送信されることから、ＭＳ１０４２、１０４３…１０４ｎがＥＣ−ＢＣＣＨ上で送信されるＥＣ−ＳＩメッセージ２００を読み取り及び復号する順序は、ＭＳ１０４２、１０４３…１０４ｎの間で相違することになる。例えば、あるＭＳ１０４２はＥＣ−システム情報タイプ１メッセージ２０２を最初に読み取ることによりＥＣ−ＳＩメッセージセット２００の読み取りを開始し得る一方、他のＭＳ１０４３は例えばＥＣ−システム情報タイプ３メッセージ２０６から自身による読み取りを開始し得る。以下は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を含むＥＣ−ＳＩメッセージセット２００の構成に関連する、本開示の５つの異なる実施形態についての詳細な議論である（図２参照）。
【００３９】
本開示の第１の実施形態では、各ＥＣ−ＳＩメッセージ２０２、２０４、２０６、２０８内に８ビットのビットマップ２１２１が含められ、ＥＣ−ＢＣＣＨ２１０上で送信される各ＥＣ−ＳＩメッセージ２０２、２０４、２０６、２０８について（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各インスタンス内に）２ビットの変更マークインジケータ２１４１が提供される（図２参照）。ネットワーク１０６（例えば、ＲＡＮノード１０２２）により所与のＥＣ−ＳＩメッセージ２０２、２０４、２０６及び／又は２０８の内容が変更されると、そのＥＣ−ＳＩメッセージ２０２、２０４、２０６及び／又は２０８についての２ビットの変更マークインジケータ２１４１が、セル内で送信される全てのＥＣ−ＳＩメッセージ２０２、２０４、２０６及び２０８（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８）内で変更される（例えば、インクリメントされる）。
【００４０】
結果として、ＭＳ１０４２がＥＣ−ＢＣＣＨ２１０上で送信される最初に復号されるＥＣ−ＳＩメッセージ２０２（例えば、ＥＣ−ＳＩタイプ１メッセージ２０２）内のビットマップ２１２１を読み取ると、ＭＳ１０４２は、どのＥＣ−ＳＩメッセージ２０２、２０４、２０６及び／又は２０８が実際に変化したのか、並びにＥＣ−ＳＩメッセージ２０２、２０４、２０６及び／又は２０８が変化していないのかを知得することになる。
【００４１】
この解決策によって、ネットワーク１０６は、所与の時間フレームの期間中に、即ち１回のＥＣ−ＳＩ変更制御サイクルの期間中に、ＥＣ−ＳＩメッセージ２０２、２０４、２０６、２０８ごとに３回までの個別の変更をＭＳ１０４２へ通知できることになる。
【００４２】
ＭＳ１０４２は、その時点でＭＳ１０４２により読み取られるＥＣ−ＳＩメッセージ２０２（例えば、ＥＣ−ＳＩタイプ２メッセージ２０２）の内容のみが変化したと判定すると、ＥＣ−ＢＣＣＨ２１０上で送信される残りのＥＣ−ＳＩメッセージ２０４、２０６、２０８（即ち、ＥＣ−ＳＩタイプ２メッセージ２０４、ＥＣ−ＳＩタイプ３メッセージ２０６及びＥＣ−ＳＩタイプ４メッセージ２０８）を読み取ることを必要としない。これがＭＳ１０４２についてバッテリ容量を節約し及びネットワークアクセス時間を低減することになる。
【００４３】
このユースケースから得られるバッテリ節約は、高カバレッジクラス（例えば、ＣＣ４）内のＭＳ１０４２についてより明白であり、なぜなら、ＭＳ１０４２は、実際には変化していない（例えば）ＥＣ−ＳＩメッセージ２０４、２０６、２０８というサブセットの各々について、連続する１６個のＥＣ−ＢＣＣＨブロックをｘ回読み取る必要がないからである。
【００４４】
ＭＳ１０４２は、他のＥＣ−ＳＩメッセージ２０６の１つ（例えば、ＥＣ−ＳＩタイプ３  ２０６）（即ち、その時点でＭＳ１０４２により読み取られるＥＣ−ＳＩメッセージ２０２が変化したか否かに関わらず）が変化したと判定すると、関係する（即ち、変化した）ＥＣ−ＳＩメッセージ２０６（ＥＣ−ＳＩタイプ３  ２０６）がＥＣ−ＢＣＣＨ２１０上で送信されるまで電力を引き下げることができる。これが、ＭＳ１０４２についてのバッテリ容量を節約し、ほとんどのケースにおいて（例えば、ＥＣ−ＳＩメッセージセット２００内の残りのＥＣ−ＳＩメッセージ２０４及び２０８が未変更である場合）、ＭＳ１０４２についてのネットワーク１０６へのアクセス時間をも低減するであろう。
【００４５】
考察されるべきこととして、ＥＣ−ＢＣＣＨ２１０上で送信される全てのＥＣ−ＳＩメッセージ２０２、２０４、２０６、２０８は、予測可能な周期性をもって（例えば、ラウンドロビンアルゴリズムを用いることで）ＲＡＮノード１０２２により送信される。これは、ＭＳ１０４２が一旦セルへアクセスすると、各個別のＥＣ−ＳＩメッセージ２０２、２０４、２０６、２０８の送信についての厳密な時刻がＭＳ１０４２により既知となることを示唆する。
【００４６】
本開示の第２の実施形態では、各ＥＣ−ＳＩメッセージ２０２、２０４、２０６、２０８内に４ビットのビットマップ２１２２が含められ、ＥＣ−ＢＣＣＨ２１０上で送信される各ＥＣ−ＳＩメッセージ２０２、２０４、２０６、２０８について（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各インスタンス内に）１ビットの変更マークインジケータ２１４２が提供される（図２参照）。ネットワーク１０６（例えば、ＲＡＮノード１０２２）により所与のＥＣ−ＳＩメッセージ２０２、２０４、２０６及び／又は２０８の内容が変更されると、そのＥＣ−ＳＩメッセージ２０２、２０４、２０６及び／又は２０８についての当該単一ビットの変更マークインジケータ２１４２が、セル内で送信される全てのＥＣ−ＳＩメッセージ２０２、２０４、２０６及び２０８内で変更される。結果として、ＭＳ１０４２がＥＣ−ＢＣＣＨ２１０上で送信される最初に復号されるＥＣ−ＳＩメッセージ２０２（例えば、ＥＣ−ＳＩタイプ１メッセージ２０２）内のビットマップ２１２２を読み取ると、ＭＳ１０４２は、どのＥＣ−ＳＩメッセージ２０２、２０４、２０６及び／又は２０８が実際に変化したのか、並びにＥＣ−ＳＩメッセージ２０２、２０４、２０６及び／又は２０８が変化していないのかを知得することになる。
【００４７】
第１の実施形態における解決策と比較すると、この代替策は、各ＥＣ−ＳＩメッセージ２０２、２０４、２０６及び２０８内に含まれるビットマップ２１２２においてより少ないビット（即ち、４ビット）しか要しない。一方で、所与のＥＣ−ＳＩメッセージ２０２、２０４、２０６及び／又は２０８の変更がビットマップ２１２２内の単一のビットにより指し示されることから、所与の時間フレームの期間中に、即ち１回のＥＣ−ＳＩ変更制御サイクルの期間中に、ＥＣ−ＳＩメッセージ２０２、２０４、２０６、２０８ごとに１回の変更のみを指し示すことができる。
【００４８】
本開示の第３の実施形態では、ＥＣ−ＢＣＣＨ２１０上で送信される各ＥＣ−ＳＩメッセージ２０２、２０４、２０６、２０８内に（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各インスタンス内に）、ＥＣ−ＳＩメッセージ２０２、２０４、２０６、２０８ごとの１ビットの変更マークインジケータ２１４３とオーバフロー制御ビット２１５とを提供する５ビットのビットマップ２１２３が含められ、よって追加的な変更マーク情報が（例えば）ＭＳ１０４２へ提供される（図２参照）。
【００４９】
ネットワーク１０６（例えば、ＲＡＮノード１０２２）により所与のＥＣ−ＳＩメッセージ２０２、２０４、２０６及び／又は２０８の内容が変更されると、そのＥＣ−ＳＩメッセージ２０２、２０４、２０６及び／又は２０８についての当該１ビットの変更マークインジケータ２１４３が、セル内で送信される全てのＥＣ−ＳＩメッセージ２０２、２０４、２０６及び２０８内で変更される。すると、ＥＣ−ＳＩメッセージ２０２、２０４、２０６又は２０８を読み取る（例えば）ＭＳ１０４２は、どのＥＣ−ＳＩメッセージ２０２、２０４、２０６及び／又は２０８が変化したのかを知得することになり、結果的に、変化したＥＣ−ＳＩメッセージ２０２、２０４、２０６及び／又は２０８を読み取るだけでよい。
【００５０】
ある時間フレーム内で（即ち、同じＥＣ−ＳＩ変更制御サイクルの期間中に）同じＥＣ−ＳＩメッセージ２０２、２０４、２０６又は２０８が２回変更される場合、そのＥＣ−ＳＩメッセージ２０２、２０４、２０６又は２０８についての１ビットの変更マークインジケータ２１４３が、セル内で送信される全てのＥＣ−ＳＩメッセージ２０２、２０４、２０６及び２０８においてもう一度変更される。１ビットの変更マークインジケータ２１４３の変更に加えて、全てのＥＣ−ＳＩメッセージ２０２、２０４、２０６及び２０８においてオーバフロー制御ビット２１５が変更される。結果的に、変更されたオーバフロー制御ビット２１５を伴う（例えば）ＥＣ−ＳＩメッセージ２０２を読み取る（例えば）ＭＳ１０４２は、今度は、ＥＣ−ＳＩメッセージ２０２、２０４、２０６、２０８が最後に読み取られてから１回よりも多く１つ以上のＥＣ−ＳＩメッセージ２０２、２０４、２０６及び／又は２０８の内容が変化したことを理解することになり、結果的に、ＭＳ１０４２は、ＥＣ−ＳＩメッセージ２０２、２０４、２０６及び２０８の全てを読み取ることを必要とする。言い換えると、オーバフロー制御ビット２１５の変更を検出する（例えば）ＭＳ１０４３は、常に完全なＥＣ−ＳＩメッセージセット２００（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８）を再読み取りすることを必要とするであろう。
【００５１】
本開示の第３の実施形態に関連付けられる解決策によって、ネットワーク１０６（例えば、ＲＡＮノード１０２２）は、所与の時間フレームの期間中に、即ち１回のＥＣ−ＳＩ変更制御サイクルの期間中に、ＥＣ−ＳＩメッセージ２０２、２０４、２０６及び／又は２０８ごとに１回の個別の変更を（例えば）ＭＳ１０４２へ通知することができ、そのケースではＭＳ１０４２は変更されたＥＣ−ＳＩメッセージ２０２、２０４、２０６及び／又は２０８を読み取るだけでよく、そして、ＥＣ−ＳＩメッセージ２０２、２０４、２０６又は２０８ごとに１回の追加的な変更を通知することができ、そのケースではオーバフロー制御ビット２１５が変更される（よって、ＭＳ１０４２は完全なＥＣ−ＳＩメッセージセット２００を再読み取りする必要がある）。
【００５２】
ネットワーク１０６（例えば、ＲＡＮノード１０２２）は、最長のＤＲＸサイクルの長さを超えるＥＣ−ＳＩ変更制御サイクル（例えば、２４時間）にあたる時間ピリオドの期間中にどのＥＣ−ＳＩメッセージ２０２、２０４、２０６及び２０８の内容も変更しない場合（即ち、セル内の全てのＭＳ１０４２、１０４３…１０４ｎがＥＣ−ＳＩメッセージ２０２、２０４、２０６、２０８の最新の変更を読み取ることができていた場合）、１ビットの変更マークインジケータ２１４３及びオーバフロー制御ビット２１５を含むビットマップ２１２３の値はフリーズされ（“リセット”条件−以下でより詳細に議論する）、新たなＥＣ−ＳＩ変更制御サイクルが開始される。
【００５３】
図３は、本開示の第３の実施形態に従って、４つのＥＣ−ＳＩメッセージ２０２、２０４、２０６及び２０８を含むＥＣ−ＳＩメッセージ変更シナリオについて、４ビットの変更マークインジケータ２１４３（各ＥＣ−ＳＩメッセージ２０２、２０４、２０６及び２０８が対応する単一のビットの変更マークインジケータを有する）と、ＥＣ−ＳＩオーバフロー条件を指し示すために使用される共通のオーバフロー制御ビット２１５（全てのＥＣ−ＳＩメッセージ２０２、２０４、２０６及び２０８に共通）とを含む５ビットのビットマップ２１２３を例示する図である。この例において、ＥＣ−ＳＩタイプ２メッセージ２０４を検討すると、（例えば）ＭＳ１０４２は、第１のＥＣ−ＳＩ変更制御サイクルの期間中に、ＥＣ−ＳＩタイプ２メッセージ２０４への３回の変更を、次の通り検出するはずである：
【００５４】
・行１は初期条件であり、ＥＣ−ＳＩタイプ２メッセージの１ビットの変更マークインジケータ２１４３＋オーバフロー制御ビット２１５＝００である（注：ビットマップ２１２３＝０００００−このケースでは、１番目のビット、２番目のビット、３番目のビット、４番目のビット及び５番目のビットがＥＣ−ＳＩタイプ４メッセージ２０８、ＥＣ−ＳＩタイプ３メッセージ２０６、ＥＣ−ＳＩタイプ２メッセージ２０４、ＥＣ−ＳＩタイプ１メッセージ２０２及びオーバフロー制御ビット２１５に対応する）。注：望まれる場合には、上記ビットの順序はいかなる形式をとることもでき、例えば、１番目のビット、２番目のビット、３番目のビット、４番目のビット及び５番目のビットがそれぞれオーバフロー制御ビット２１５、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８に対応してもよい。この例では、（例えば）ＭＳ１０４２は、ＥＣ−ＳＩメッセージ２０２、２０４、２０６及び２０８を含む完全なＥＣ−ＳＩメッセージセット２００、並びにそこに含まれるビットマップ２１２３を読み取る。
【００５５】
・行２（最初のＥＣ−ＳＩ変更制御サイクルタイマの開始を表すＴ＝０により識別される）は、ＥＣ−ＳＩタイプ２メッセージ２０４への最初の変更であり、ＥＣ−ＳＩタイプ２メッセージの１ビットの変更マークインジケータ２１４３＋オーバフロー制御ビット２１５＝１０である（注：ビットマップ２１２３＝００１００）。この時点において、行１にて完全なＥＣ−ＳＩメッセージセット２００を前回読み取り、今や行２においてＥＣ−ＳＩメッセージ２０２、２０４、２０６及び２０８のうちのいずれかを読み取る（例えば）ＭＳ１０４２は、オーバフロー制御ビット２１５が変更されていないこと（即ち、ＥＣ−ＳＩオーバフロー条件が生じていないこと）、及び、ＥＣ−ＳＩタイプ２メッセージ２０４が変化したためにそこに所在する更新されたシステム情報を読み取って取得する必要があることを知得するはずである。ＭＳ１０４２は、ＥＣ−ＳＩタイプ１メッセージ２０２、ＥＣ−ＳＩタイプ３メッセージ２０６、及びＥＣ−ＳＩタイプ４メッセージ２０８を読み取ることは必要としないであろう。
【００５６】
・行４は、現行のＥＣ−ＳＩ変更制御サイクルの範囲内での、ＥＣ−ＳＩタイプ２メッセージ２０４への２回目の変更であり、ＥＣ−ＳＩタイプ２メッセージの１ビットの変更マークインジケータ２１４３＋オーバフロー制御ビット２１５＝０１である（注：ビットマップ２１２３＝０００１１）。この時点において、行１にて完全なＥＣ−ＳＩメッセージセット２００を、又は行２において変更されたＥＣ−ＳＩタイプ２メッセージを前回読み取り、そして今や行４においてＥＣ−ＳＩメッセージ２０２、２０４、２０６及び２０８のうちのいずれかを読み取る（例えば）ＭＳ１０４２は、オーバフロー制御ビット２１５が１へ変更されていることを確認し、従って完全なＥＣ−ＳＩメッセージセット２００（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８）を読み取るはずである。この例において留意すべきこととして、ＭＳ１９４２は、（ＤＲＸに起因して）いつウェイクアップするかに依存して、図３内の各行を必ずしも読み取らないかもしれない。よって、ＭＳ１０４２は、今般のビットマップ（行）を読み取る前にＭＳ１０４２がどのビットマップ（行）を読み取るかに依存して異なる形で動作するであろう。
【００５７】
行６は、現行のＥＣ−ＳＩ変更制御サイクルの範囲内での、ＥＣ−ＳＩタイプ２メッセージ２０４への３回目の変更であり、ＥＣ−ＳＩタイプ２メッセージの１ビットの変更マークインジケータ２１４３＋オーバフロー制御ビット２１５＝１１である（注：ビットマップ２１２３＝０１１１１）。この時点において、行１にて完全なＥＣ−ＳＩメッセージセット２００を、又は行２及び行３において変更されたＥＣ−ＳＩタイプ２メッセージのいずれかを前回読み取り、そして今や行６においてＥＣ−ＳＩメッセージ２０２、２０４、２０６及び２０８のうちのいずれかを読み取る（例えば）ＭＳ１０４２は、オーバフロー制御ビット２１５が１へ変更されていることを確認し、従って完全なＥＣ−ＳＩメッセージセット２００（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８）を読み取るはずである。行４において変更されたＥＣ−ＳＩメッセージ２０４を前回読み取り、そして今や行６においてＥＣ−ＳＩメッセージ２０２、２０４、２０６及び２０８のうちのいずれかを読み取る（例えば）ＭＳ１０４２は、オーバフロー制御ビット２１５の値が変更されておらず但しＥＣ−ＳＩタイプ２メッセージ２０４及びＥＣ−ＳＩタイプ３メッセージ２０６についての１ビットの変更マークインジケータ２１４３が変更されていること、よってそこに所在する更新されたシステム情報を読み取る必要があることを確認するはずである。ＭＳ１０４２は、ＥＣ−ＳＩタイプ１メッセージ２０２及びＥＣ−ＳＩタイプ４メッセージ２０８を読み取る必要は無いであろう。
【００５８】
２番目のＥＣ−ＳＩ変更制御サイクルの期間中に、ＥＣ−ＳＩタイプ２メッセージ２０４の以下の変更が生じ得る：
【００５９】
・行９は、２番目のＥＣ−ＳＩ変更制御サイクルにおける、ＥＣ−ＳＩタイプ２メッセージ２０４への１回目の変更であり、ＥＣ−ＳＩタイプ２メッセージの１ビットの変更マークインジケータ２１４３＋オーバフロー制御ビット２１５＝０１である（注：ビットマップ２１２３＝０１００１）。この時点において、行７又は行８のいずれかにおいて完全なＥＣ−ＳＩメッセージセット２００を前回読み取り、そして今や行９においてＥＣ−ＳＩメッセージ２０２、２０４、２０６及び２０８のうちのいずれかを読み取る（例えば）ＭＳ１０４２は、ＥＣ−ＳＩタイプ２メッセージ２０４が変化したこと、よってそこに所在する更新されたシステム情報を読み取って取得する必要があることを知得するはずである。ＭＳ１０４２は、行８の通りのＥＣ−ＳＩメッセージを最後に読み取った場合、ＥＣ−ＳＩタイプ１メッセージ２０２、ＥＣ−ＳＩタイプ３メッセージ２０６及びＥＣ−ＳＩタイプ４メッセージ２０８を読み取らないはずであるが、これは、ＭＳ１０４２が行８において更新されたＥＣ  ＳＩを前回読み取ったケースのみであり、なぜなら、行８と行９との間でビットマップは変更されるからである（注：行７以降、ＥＣ−ＳＩ変更制御サイクルにあたる時間ピリオドにわたってＥＣ−ＳＩメッセージ２０２、２０４、２０６及び２０８は変更されておらず、よってこの期間中にＥＣ−ＳＩの１ビットの変更マークインジケータ２１４３のどれも変更されていないことから、オーバフロー制御ビット２１５の値が行７の後に“フリーズ”されている）。セル内に滞在する全てのＭＳは行７以降に完全なＥＣ−ＳＩメッセージセット２００を読み取っていることから、ＭＳ１０４２は、行９がオーバフロー制御ビット２１５の変更が無いことを示すものとして解釈する（即ち、ＥＣ−ＳＩオーバフロー条件が存在しない）。
【００６０】
図３の行７は、第１のＥＣ−ＳＩ  ＣＣＣの終了の直後に、ビットマップ２１２３が“フリーズ”される（リセットされる）こと、及び、第１のＥＣ−ＳＩ  ＣＣＣが終了する正確にその時点に第２のＥＣ−ＳＩ  ＣＣＣを開始する際にＥＣ−ＳＩ１  ２０２の変更が生じること、を示唆していると認識されるべきである。代替案は、行７の終了の前の、行７の左端に沿った何らかの時点にＴ＋２４が正確に達する、行７の途中に、ＥＣ−ＳＩ  ＣＣＣの終了が生起することを許容することであろう。それにより、行８において第２のＥＣ−ＳＩ  ＣＣＣが開始する前に、２４時間よりも長い時間が過ぎることが許容される。これは望ましく、なぜなら、任意の所与のＥＣ−ＳＩ  ＣＣＣの終了と次のＥＣ−ＳＩ  ＣＣＣの開始との間に不定の時間ピリオドが生起することを可能にするからであり、それは典型的なネットワークにおいて予期され得ることである。
【００６１】
本開示の第４の実施形態では、ＥＣ−ＢＣＣＨ２１０上で送信される各ＥＣ−ＳＩメッセージ２０２、２０４、２０６、２０８内に（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各インスタンス内に）、ＥＣ−ＳＩメッセージ２０２、２０４、２０６、２０８ごとの１ビットの変更マークインジケータ２１４４と２ビットを含むオーバフロー制御フィールド２１７とを提供する６ビットのビットマップ２１２４が含められ、よって、一層多くの追加的な変更マーク情報が（例えば）ＭＳ１０４２へ提供される（図２参照）。２ビットのオーバフロー制御フィールド２１７で、ネットワーク１０６（例えば、ＲＡＮノード１０２２）は、所与の時間フレームの期間中に、即ち１回のＥＣ−ＳＩ変更制御サイクルの期間中に、（例えば）ＭＳ１０４２へ、ＥＣ−ＳＩメッセージ２０２、２０４、２０６及び２０８ごとに１回の個別の変更（即ち、関係する１ビットの変更マークインジケータ２１４４を使用し、するとＭＳ１０４２は変更されたＥＣ−ＳＩメッセージ２０２、２０４、２０６及び／又は２０８のみを読み取り得る）と、任意のＥＣ−ＳＩメッセージ２０２、２０４、２０６及び２０８の３回の追加的な変更（このケースでは、オーバフロー制御フィールド２１７内の２ビットが変更され、ＭＳ１０４２はＥＣ−ＳＩメッセージセット２００の全体を再読み取りすることを要する）とを通知できることになる。
【００６２】
本開示の第５の実施形態では、ＥＣ−ＢＣＣＨ２１０上で送信される各ＥＣ−ＳＩメッセージ２０２、２０４、２０６、２０８内に（即ち、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各インスタンス内に）、ＥＣ−ＳＩメッセージ２０２、２０４、２０６、２０８ごとの２ビットの変更マークインジケータ２１４５とオーバフロー制御ビット２１９とを提供する９ビットのビットマップ２１２５が含められ、よって、追加的な変更マーク情報が（例えば）ＭＳ１０４２へ提供される（図２参照）。この解決策で、ネットワーク１０６（例えば、ＲＡＮノード１０２２）は、所与の時間フレームの期間中に、即ち１回のＥＣ−ＳＩ変更制御サイクルの期間中に（例えば、数分内又は数分後に）、（例えば）ＭＳ１０４２へ、ＥＣ−ＳＩメッセージ２０２、２０４、２０６及び２０８ごとに３回の個別の変更（即ち、この場合、ＭＳ１０４２は変更されたＥＣ−ＳＩメッセージ２０２、２０４、２０６及び／又は２０８のみを読み取り得る）と、あるＥＣ−ＳＩメッセージ２０２、２０４、２０６及び２０８の４回の追加的な変更（このケースでは、オーバフロー制御ビット２１９が変更され、ＭＳ１０４２はＥＣ−ＳＩメッセージセット２００の全体を再読み取りすることを要する）とを通知できることになる。
【００６３】
留意すべきこととして、システム情報（ＳＩ）は、通常、配備済みのセルラーシステム１００においてそれほど頻繁には変更されず、よって、所与のＥＣ−ＳＩメッセージ２０２、２０４、２０６又は２０８について例えば２４時間ごとに最大で３回の変更という変更の制限は、ほとんどのシナリオにおいて十分であると考えられる。
【００６４】
加えて、留意すべきこととして、ＲＡＮノード１０２２は、オーバフロー条件を指し示すことが回避されるように、相対的に短い時間フレーム（例えば、数分）の期間中に１つ以上のＥＣ−ＳＩメッセージ２０２、２０４、２０６、２０８が変更される場合に、（もしあれば）オーバフロー制御ビット２１５、２１７、２１９と変更マークインジケータ２１４１、２１４２、２１４３、２１４４、２１４５とを含むビットマップ２１２１、２１２２、２１２３、２１２４、２１２５を設定することができ、それにより、（例えば）ＭＳ１０４２におけるＥＣ−ＳＩの取得が改善される。この改善を示す一例は次の通りである。ＥＣ−ＳＩ変更制御サイクルにより左右される時間ピリオドＴ（Ｔは、最後の変更（直近の変更）がＥＣ−ＳＩビットマップ情報により指し示された時点で開始し、任意のＭＳ１０４１、１０４２、１０４３…１０４ｎについてネットワーク１００によりサポートされるあり得る最長のＤＲＸサイクルを上回る値を有する）にわたってＥＣ−ＳＩメッセージ２０２、２０４、２０６、２０８のいずれについても変更が指し示されていないと判定すると、ＲＡＮノード１０２２は、その時点のビットマップ２１２１、２１２２、２１２３、２１２４、２１２５情報がセル内の全てのＭＳ１０４２、１０４３…１０４ｎにより既知であるものと見なすものとする。従って、ＲＡＮノード１０２２は、ＥＣ−ＳＩビットマップ情報により指し示される最後の変更（直近の変更）からの時間が時間ピリオドＴを上回る時点で、個別のＥＣ−ＳＩメッセージの変更を指し示すことをあらためて開始し、オーバフロー制御ビット２１５、２１７、２１９の状態を、リセットされた（“フリーズ”された）ものと見なすことができる。それに応じて、ＲＡＮノード１０２２は、最後に送信されたビットマップ２１２１、２１２２、２１２３、２１２４、２１２５情報を、特定のＥＣ−ＳＩメッセージの変更を指し示すための新たな基準と見なし、最後に送信されたオーバフロー制御ビット２１５、２１７、２１９についての値は、オーバフロー条件が生じたことをもはや示さないものとして、全てのＭＳ１０４２、１０４３…１０４ｎにより今や見なされる（図３を基準として示した例において“フリーズ”との語により意味されるのはこのことである）。ビットマップ２１２１、２１２２、２１２３、２１２４、２１２５内のＥＣ−ＳＩメッセージ固有のビット２１４１、２１４２、２１４３、２１４４、２１４５の（ビットマップ２１２１、２１２２、２１２３、２１２４、２１２５内の最後に受信したそれらビット２１４１、２１４２、２１４３、２１４４、２１４５についての値に対する）新たな変更が、オーバフロービット２１５、２１７、２１９の値が静的なままである限り、対応するＥＣ−ＳＩメッセージ２０２、２０４、２０６、２０８の変更を今や指し示すように、最後に受信したＥＣ−ＳＩメッセージ２０２、２０４、２０６、２０８がＥＣ−ＳＩメッセージの安定性のピリオドの期間中に必ず受信済みとなる点において、（例えば）ＭＳ１０４２は、ビットマップ２１２１、２１２２、２１２３、２１２４、２１２５の“フリーズ”条件（“リセット”条件）を暗黙的に検出する。
【００６５】
＜（例えば）ＲＡＮノード１０２２及び（例えば）ＭＳ１０４２の基本的な機能性−構成＞
図４を参照すると、本開示の一実施形態に従って、１つ以上の移動局１０４２、１０４３…１０４ｎとインタラクションするように構成されるＲＡＮノード１０２２（例えば、ＢＳＳ１０２２）において実装される方法４００のフローチャートがある。ステップ４０２において、ＲＡＮノード１０２２は、ＥＣ−ＢＣＣＨ２１０上でＥＣ−ＳＩメッセージ２０２、２０４、２０６又は２０８を移動局１０４２、１０４３…１０４ｎへ送信する。送信されるＥＣ−ＳＩメッセージ２０２、２０４、２０６又は２０８は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を含むＥＣ−ＳＩメッセージのセット２００からのものである。送信されるＥＣ−ＳＩメッセージ２０２、２０４、２０６又は２０８は、ＥＣ−ＳＩメッセージの上記セットからのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上がそれらメッセージ２０２、２０４、２０６、２０８についての送信の前回のインスタンスに対して修正されているのかを指し示すビットマップ２１２１、２１２２、２１２３、２１２４、２１２５を含む（ＲＡＮノード１０２２がＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を既知の周期的基準で順次送信することを想起されたい）。第１の実施形態では、ビットマップ２１２２が、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々について、２ビットの変更マークインジケータ２１４１を含む。第２の実施形態では、ビットマップ２１２２が、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々について、１ビットの変更マークインジケータ２１４２を含む。第３の実施形態では、ビットマップ２１２３が、オーバフロー制御ビット２１５と、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々について１ビットの変更マークインジケータ２１４３とを含む。第４の実施形態では、ビットマップ２１２４が、２ビットのオーバフロー制御フィールド２１７と、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々について１ビットの変更マークインジケータ２１４４とを含む。第５の実施形態では、ビットマップ２１２５が、オーバフロー制御ビット２１９と、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々について２ビットの変更マークインジケータ２１４５とを含む。１つ以上のオーバフロー制御ビット２１５、２１７、２１９は、移動局１０４２、１０４３…１０４ｎへ、ある時間ピリオド（例えば、ＥＣ−ＳＩ変更制御サイクルに相当する時間ピリオド）の期間中に限度を超えてＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちの少なくとも１つが修正された状況を指し示し、よって、移動局１０４２、１０４３…１０４ｎへＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々を読み取らなければならないことを指し示す。ステップ４０４において、ＲＡＮノード１０２２は、予め決定される時間ピリオド（例えば、ＥＣ−ＳＩ変更制御サイクルに相当する時間ピリオド）の期間中のＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちの１つ以上に対する各修正についてビットマップ２１２１、２１２２、２１２３、２１２４、２１２５を変更し、それにより、移動局１０４２、１０４３…１０４ｎによるＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の取得が改善される。
【００６６】
図５を参照すると、本開示の一実施形態に係る例示的なＲＡＮノード１０２２（例えば、ＢＳＳ１０２２）の構造を示すブロック図がある。１つの実施形態において、ＲＡＮノード１０２２は、送信モジュール５０２と、変更モジュール５０４とを備える。送信モジュール５０２は、ＥＣ−ＢＣＣＨ２１０上でＥＣ−ＳＩメッセージ２０２、２０４、２０６又は２０８を移動局１０４２、１０４３…１０４ｎへ送信する、ように構成される。送信されるＥＣ−ＳＩメッセージ２０２、２０４、２０６又は２０８は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を含むＥＣ−ＳＩメッセージのセット２００からのものである。送信されるＥＣ−ＳＩメッセージ２０２、２０４、２０６又は２０８は、ＥＣ−ＳＩメッセージの上記セットからのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上がそれらメッセージ２０２、２０４、２０６、２０８についての送信の前回のインスタンスに対して修正されているのかを指し示すビットマップ２１２１、２１２２、２１２３、２１２４、２１２５を含む。変更モジュール５０４は、予め決定される時間ピリオド（例えば、ＥＣ−ＳＩ変更制御サイクルに相当する時間ピリオド）の期間中のＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちの１つ以上に対する各修正についてビットマップ２１２１、２１２２、２１２３、２１２４、２１２５を変更する、ように構成される。加えて、留意すべきこととして、ＲＡＮノード１０２２は、よく知られた他のコンポーネント、モジュール又は構造を含んでもよく、但し、簡明さのために、本開示の特徴を説明するために必要とされるコンポーネント、モジュール又は構造のみがここで説明されている。
【００６７】
当業者は認識するであろうように、ＲＡＮノード１０２２の上述したモジュール５０２及び５０４は、適切な専用の回路として別々に実装されてもよい。さらに、モジュール５０２及び５０４は、機能的な組み合わせ又は分離を通じて、いかなる数の専用の回路を用いて実装されてもよい。いくつかの実施形態において、モジュール５０２及び５０４は、単一のＡＳＩＣ（application  specific  integrated  circuit）に組み合わせられてさえよい。代替的なソフトウェアベースの実装として、ＲＡＮノード１０２２は、メモリ１３４２、（限定ではないものの、マイクロプロセッサ、マイクロコントローラ又はＤＳＰ（Digital  Signal  Processor）などを含む）プロセッサ１３２２及び送受信機１２２２を備えてもよい。メモリ１３４２は、上述した方法４００のステップ群をＲＡＮノード１０２２に実行させるための、プロセッサ１３２２により実行可能なマシン読取可能なプログラムコードを記憶する。なお、他のＲＡＮノード１０２１（加えて、図示していない他のＲＡＮノード）がＲＡＮノード１０２２と同じく構成されてもよい。
【００６８】
図６を参照すると、本開示の一実施形態に従って（例えば）移動局１０４２において実装される方法６００のフローチャートがある。ステップ６０２において、移動局１０４２は、ＥＣ−ＢＣＣＨ２１０上のＥＣ−ＳＩメッセージ２０２、２０４、２０６又は２０８を読み取る（受信する）。読み取られるＥＣ−ＳＩメッセージ２０２、２０４、２０６又は２０８は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を含むＥＣ−ＳＩメッセージのセット２００からのものである。読み取られるＥＣ−ＳＩメッセージ２０２、２０４、２０６又は２０８は、ＥＣ−ＳＩメッセージのセット２００からのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上がＲＡＮノード１０２２によるそれらメッセージ２０２、２０４、２０６、２０８の送信の前回のインスタンスに対し修正されているのかを指し示すビットマップ２１２１、２１２２、２１２３、２１２４、２１２５を含む。ステップ６０３において、移動局１０４２は、読み取られるＥＣ−ＳＩメッセージ２０２、２０４、２０６、２０８内で、ビットマップ２１２１、２１２２、２１２３、２１２４、２１２５の（もしあれば）オーバフロー制御ビット２１５、２１７、２１９を利用して、オーバフロー条件が検出されるかを判定する。ステップ６０３の結果がｙｅｓである場合、移動局１０４２は、ステップ６１０において、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々を読み取る。ステップ６０３の結果がｎｏである場合、移動局１０４２は、ステップ６０４において、ＥＣ−ＳＩメッセージのセットからのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上がＲＡＮノード１０２２によるそれらメッセージ２０２、２０４、２０６、２０８の送信の前回のインスタンスに対し修正されているのかを、読み取られるＥＣ−ＳＩメッセージ２０２、２０４、２０６又は２０８内のビットマップ２１２１、２１２２、２１２３、２１２４、２１２５を利用して判定する。ステップ６０６において、移動局１０４２は、読み取られたＥＣ−ＳＩメッセージ２０２、２０４、２０６又は２０８がＥＣ−ＳＩメッセージのセット２００からの修正されているただ１つであるとの判定に基づいて、ＥＣ−ＳＩメッセージのセット２００内の残りのＥＣ−ＳＩメッセージ２０２、２０４、２０６又は２０８の読み取りをスキップする。ステップ６０８において、移動局１０４２は、読み取られたＥＣ−ＳＩメッセージ２０２、２０４、２０６又は２０８が修正されておらず但しＥＣ−ＳＩメッセージのセット２００からの他のＥＣ−ＳＩメッセージ２０２、２０４、２０６及び／又は２０８が修正されているとの判定に基づいて、修正された当該ＥＣ−ＳＩメッセージ２０２、２０４、２０６及び／又は２０８が受信されるはずのときまで電力を引き下げ、そして電力を引き上げて修正された当該ＥＣ−ＳＩメッセージ２０２、２０４、２０６及び／又は２０８を読み取る。
【００６９】
図７を参照すると、本開示の一実施形態に係る例示的な（例えば）移動局１０４２の構造を示すブロック図がある。１つの実施形態において、移動局１０４２は、第１読み取りモジュール７０２、第１判定モジュール７０３、第２判定モジュール７０４、読み取りスキップモジュール７０６、電力ダウンモジュール７０８及び第２読み取りモジュール７１０を備える。読み取りモジュール７０２は、ＥＣ−ＢＣＣＨ２１０上のＥＣ−ＳＩメッセージ２０２、２０４、２０６又は２０８を読み取る（受信する）、ように構成される。読み取られるＥＣ−ＳＩメッセージ２０２、２０４、２０６又は２０８は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８を含むＥＣ−ＳＩメッセージのセット２００からのものである。読み取られるＥＣ−ＳＩメッセージ２０２、２０４、２０６又は２０８は、ＥＣ−ＳＩメッセージのセット２００からのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上がＲＡＮノード１０２２によるそれらメッセージ２０２、２０４、２０６、２０８の送信の前回のインスタンスに対し修正されているのかを指し示すビットマップ２１２１、２１２２、２１２３、２１２４、２１２５を含む。第１判定モジュール７０３は、読み取られるＥＣ−ＳＩメッセージ２０２、２０４、２０６又は２０８内で、ビットマップ２１２１、２１２２、２１２３、２１２４、２１２５の（もしあれば）オーバフロー制御ビット２１５、２１７、２１９を利用して、オーバフロー条件が検出されるかを判定する、ように構成される。オーバフロー条件の検出に基づいて、第２読み取りモジュール７１０は、ＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８の各々を読み取る、ように構成される。オーバフロー条件が検出されないこと（又は、オーバフロー制御ビット２１５、２１７、２１９が存在しないこと）に基づいて、第２判定モジュール７０４は、ＥＣ−ＳＩメッセージのセット２００からのＥＣ−ＳＩタイプ１メッセージ２０２、ＥＣ−ＳＩタイプ２メッセージ２０４、ＥＣ−ＳＩタイプ３メッセージ２０６及びＥＣ−ＳＩタイプ４メッセージ２０８のうちのもしあるならばどの１つ以上が修正されているのかを、読み取られるＥＣ−ＳＩメッセージ２０２、２０４、２０６又は２０８内のビットマップ２１２１、２１２２、２１２３、２１２４、２１２５を利用して判定する、ように構成される。読み取られたＥＣ−ＳＩメッセージ２０２、２０４、２０６又は２０８がＥＣ−ＳＩメッセージのセット２００からの修正されているただ１つであるとの判定に基づいて、読み取りスキップモジュール７０６は、ＥＣ−ＳＩメッセージのセット２００内の残りのＥＣ−ＳＩメッセージ２０２、２０４、２０６又は２０８の読み取りをスキップする、ように構成される。読み取られたＥＣ−ＳＩメッセージ２０２、２０４、２０６又は２０８が修正されておらず但しＥＣ−ＳＩメッセージのセット２００からの他のＥＣ−ＳＩメッセージ２０２、２０４、２０６及び／又は２０８が修正されているとの判定に基づいて、電力ダウンモジュール７０８は、修正された当該ＥＣ−ＳＩメッセージ２０２、２０４、２０６及び／又は２０８が受信されるはずのときまで電力を引き下げ、そして電力を引き上げて修正された当該ＥＣ−ＳＩメッセージ２０２、２０４、２０６及び／又は２０８を読み取る、ように構成される。加えて、留意すべきこととして、移動局１０４２は、よく知られた他のコンポーネント、モジュール又は構造を含んでもよく、但し、簡明さのために、本開示の特徴を説明するために必要とされるコンポーネント、モジュール又は構造のみがここで説明されている。
【００７０】
当業者は認識するであろうように、移動局１０４２の上述したモジュール７０２、７０３、７０４、７０６、７０８及び７１０は、適切な専用の回路として別々に実装されてもよい。さらに、モジュール７０２、７０３、７０４、７０６、７０８及び７１０は、機能的な組み合わせ又は分離を通じて、いかなる数の専用の回路を用いて実装されてもよい。いくつかの実施形態において、モジュール７０２、７０３、７０４、７０６、７０８及び７１０は、単一のＡＳＩＣ（application  specific  integrated  circuit）に組み合わせられてさえよい。代替的なソフトウェアベースの実装として、移動局１０４２は、メモリ１２０２、（限定ではないものの、マイクロプロセッサ、マイクロコントローラ又はＤＳＰ（Digital  Signal  Processor）などを含む）プロセッサ１１８２及び送受信機１１０２を備えてもよい。メモリ１２０２は、上述した方法６００のステップ群を移動局１０４２に実行させるための、プロセッサ１１８２により実行可能なマシン読取可能なプログラムコードを記憶する。なお、他の移動局１０４１、１０４３、１０４ｎが移動局１０４２と同じく構成されてもよい。
【００７１】
前述した視点において、当業者は、本開示が多くの利点を有することを認識するであろう。そのうちのいくつかは次の通りである：
【００７２】
・ＭＳ１０４１、ＭＳ１０４２、１０４３…１０４ｎは、完全なＥＣ−システム情報メッセージセット２００を過度に高い頻度で読み取ることを回避することができ、これがバッテリ電力を大きく節約するのみならず、ネットワークアクセスをも改善する（即ち、１つのＥＣ−ＢＣＣＨブロックが１つの完全なＥＣ−ＳＩメッセージを搬送すると想定すると、最悪のカバレッジクラス（ＣＣ４）を用いて、ＥＣ−ＢＣＣＨ２１０上の４つのＥＣ−ＳＩメッセージ２０２、２０４、２０６、２０８を読み取るために要する時間は、どのＭＳ、ＭＳ１０４２、１０４３…１０４ｎについても約１６秒である−そのため、本開示によって４つのＥＣ−ＳＩメッセージ２０２、２０４、２０６、２０８を頻繁に読み取らなくてよいことが上の理由で有利である）。
【００７３】
・ＭＳ１０４１、ＭＳ１０４２、１０４３…１０４ｎは、実際には変更されないＥＣ−ＳＩメッセージを取得し及び復号しなくてよいことにより、貴重なバッテリ電力を無駄にすることを回避することにもなる。
【００７４】
・ＭＳ１０４１、ＭＳ１０４２、１０４３…１０４ｎは、各ＥＣ−ＳＩメッセージ２０２、２０４、２０６及び２０８内でビットマップ２１２１、２１２２、２１２３、２１２４又は２１２５を提供され、それにより、ＭＳ１０４１、ＭＳ１０４２、１０４３…１０４ｎは、完全なＥＣ−システム情報セット２００を読み取ることを常には要しない。
【００７５】
・本開示は、ＥＣ−システム情報メッセージ２０２、２０４、２０６、２０８を再読み取りするための時間を短縮することになり、よって、ＭＳ１０４１、ＭＳ１０４２、１０４３…１０４ｎについてのネットワークアクセス時間を短縮する。
【００７６】
・開示した技法を利用するＭＳ１０４１、ＭＳ１０４２、１０４３…１０４ｎは、電力容量を節約することになり、それがＭＳ１０４１、ＭＳ１０４２、１０４３…１０４ｎについてより長いバッテリ寿命に寄与するであろう。
【００７７】
前述した開示に加えて、ＭＳ１０４１、ＭＳ１０４２、１０４３…１０４ｎがより一層適時に最新のＥＣ−システム情報２０２、２０４、２０６、２０８へのアクセスを有することを保証することを助けることのできる改善が存在し、それにより、２４時間であるものとして上で議論したＥＣ−ＳＩ  ＣＣＣに相当する時間ピリオドの期間中に、複数のオーバフロー条件及び対応する“リセット”条件が生じ得る。このケースにおいて、ＲＡＮノード１０２２は、オーバフロー条件に続いていつ“リセット”条件が生じたのかを判定するためのＥＣ−ＳＩ  ＣＣＣとは別の、１つ以上のＥＣ−ＳＩメッセージの直近の変更に続く異なる最小の安定性ピリオド（period  of  stability）を利用することができる。この異なる最小の安定性ピリオドは、ビットマップＣＣＣとして言及されることができ、ＥＣ−ＳＩ  ＣＣＣの２４時間よりも小さい最長のＤＲＸサイクル（例えば、６０分）を上回る時間長を有することができる。６０分というビットマップＣＣＣの使用は、ＥＣ−ＳＩ  ＣＣＣの期間中に２４回の“リセット”条件が発生することを許容することになり、それにより、ＥＣ−ＳＩ  ＣＣＣに相当する時間ピリオドにわたって発生し及び継続して指し示されるオーバフロー条件に続く１つ以上のＥＣ−ＳＩメッセージを取得する都度、全てのＥＣ−ＳＩメッセージを読み取らなければならないと常に結論付けることを、ＭＳが回避することを可能にする。ＥＣ−ＳＩ  ＣＣＣの期間中の“リセット”条件の回数のこの増加を可能にすることで、ＭＳのバッテリ節約の利点がもたらされる。なぜなら、ＭＳは、任意の所与のＥＣ−ＳＩ  ＣＣＣの期間中に生じる次のオーバフロー条件（もしあれば）まで、各ビットマップＣＣＣベースの“リセット”条件に続いて全てのＥＣ−ＳＩメッセージを読み取ることを停止することができるからである。
【００７８】
当業者は、“例示的な”との用語の使用が、“説明的な”又は“一例として供される”を意味するためにここで使用されているのであって、具体的な実施形態が他の実施形態よりも好ましく又は具体的な特徴が不可欠であることを示唆することは意図されていないことを認識するであろう。同様に、“第１”及び“第２”との用語並びに類似の用語は、項目又は特徴の１つの具体的なインスタンスを他のものから単に区別するために使用されており、文脈が別段明示的に示さない限り、それらは具体的な順序又は配置を指し示さない。さらに、ここで使用されている通りの“ステップ”との用語は、“動作”又は“アクション”と同義であるものと意図される。ステップのシーケンスのここでのいかなる説明も、文脈又は説明した動作の詳細が別段明示的に示していない限り、それら動作が特定の順序で遂行されなければならないことを示唆せず、あるいは、それら動作が全体として何らかの順序で遂行されることさえも示唆しない。
【００７９】
当然ながら、本開示は、本発明のスコープ及び本質的な特徴から逸脱することなく、ここで説示されたもの以外の特定の手法で遂行されてもよい。上で議論した具体的な処理のうちの１つ以上は、いくつかの実施形態では１つ以上のＡＳＩＣ（application-specific  integrated  circuits）で具現化されてもよい１つ以上の適切に構成される処理回路を含むセルラーフォン又は他の通信送受信機において遂行されてもよい。いくつかの実施形態において、それら処理回路は、上述した動作のうちの１つ以上又はそれらの派生を遂行するための適切なソフトウェア及び／又はファームウェアと共にプログラムされる、１つ以上のマイクロプロセッサ、マイクロコントローラ及び／又はデジタル信号プロセッサを含み得る。いくつかの実施形態において、それら処理回路は、上述した機能のうちの１つ以上を遂行するためのカスタマイズされたハードウェアを含んでもよい。提示した実施形態は、従って、あらゆる点において、説明的であって制限的ではないものと見なされるべきである。
【００８０】
本開示の複数の実施形態が添付図面に示されており前述の詳細な説明に記述されているものの、本発明は、開示した実施形態には限定されず、代わりに本開示から逸脱することなく多くの再配置、修正及び代入もまた可能であることが理解されるべきであり、本開示は、説示した通りであって、後続の特許請求の範囲内で定義される。
【図１】
2019506774.tif 000004
【図２】
2019506774.tif 000005
【図３】
2019506774.tif 000006
【図４】
2019506774.tif 000007
【図５】
2019506774.tif 000008
【図６】
2019506774.tif 000009
【図７】
2019506774.tif 000010
【国際調査報告】
2019506774.tif 000011
2019506774.tif 000012
2019506774.tif 000013